(57)【要約】【課題】圧力損失が増大したり、血液損傷を生じさせたりすることなく、血液のガス分圧の不均一を改善する。【解決手段】血液流路１１を流れる血液に対してガス交換を行うガス交換部４０は、第１交換部４０ａ及び第２交換部４０ｂを含む。第１及び第２交換部のそれぞれは、血液流路を横切るように、血液流路内の血液の流れ方向に垂直な一方向に沿って配置された複数の中空糸膜４１を備え、中空糸膜の内腔内を酸素を含有するガスが流れるように構成される。ガスが第１交換部を構成する中空糸膜を流れる方向と、ガスが第２交換部を構成する中空糸膜を流れる方向とが逆である。【選択図】図３
2019072263.tif 000002
【特許請求の範囲】
【請求項１】
血液流入ポート及び血液流出ポートが設けられたハウジングと、
前記ハウジング内に設けられた血液流路であって、血液が前記血液流入ポートから前記血液流路を通って前記血液流出ポートへ流れる、血液流路と、
前記血液流路を流れる血液に対して酸素加、脱二酸化炭素を行うガス交換部と、
前記ガス交換部を通過した血液を採取するためのサンプリングポートとを備えた人工肺であって、
前記ガス交換部は、第１交換部及び第２交換部を含み、
前記第１交換部及び前記第２交換部のそれぞれは、前記血液流路を横切るように、前記血液流路内の血液の流れ方向に垂直な一方向に沿って配置された複数の中空糸膜を備え、前記中空糸膜の内腔内を酸素を含有するガスが流れるように構成され、
前記ガスが前記第１交換部を構成する前記中空糸膜を流れる方向と、前記ガスが前記第２交換部を構成する前記中空糸膜を流れる方向とが逆であることを特徴とする人工肺。
【請求項２】
前記第１交換部及び前記第２交換部は、血液の流れ方向に沿って配置されている請求項１に記載の人工肺。
【請求項３】
前記第１交換部を構成する前記中空糸膜と前記第２交換部を構成する前記中空糸膜とが直列に接続されている請求項１又は２に記載の人工肺。
【請求項４】
前記第１交換部を構成する前記中空糸膜の数と、前記第２交換部を構成する前記中空糸膜の数とが同じである請求項１〜３のいずれか一項に記載の人工肺。
【請求項５】
前記ガス交換部は、前記第１交換部と前記第２交換部とからなるガス交換ユニットを複数備える請求項１〜４のいずれか一項に記載の人工肺。
【請求項６】
前記サンプリングポートは、前記血液流出ポートから、前記中空糸膜の配向方向に又は前記配向方向に対して垂直方向に離れた位置に設けられている請求項１〜５のいずれか一項に記載の人工肺。
【請求項７】
前記ガス交換部において、前記血液流路の断面が血液の流れ方向において一定である請求項１〜６のいずれか一項に記載の人工肺。
【発明の詳細な説明】
【技術分野】
【０００１】
本発明は、体外循環中の血液に対してガス交換を行う人工肺に関する。
【背景技術】
【０００２】
心臓手術では、患者の心臓を停止させ、その間の呼吸及び血液循環機能を代行するために、体外血液循環用の人工心肺回路が用いられる。人工心肺回路の要部を構成する人工肺は、患者の肺に代わって血液に対するガス交換機能（血液に対して酸素を供給し、二酸化炭素を排出させる機能）を提供する。人工肺の構造としては、中空糸膜型人工肺が広く用いられている。
【０００３】
中空糸膜型人工肺は、酸素を含むガスと血液とを多孔質中空糸膜を介在させて流動させ、血液とガスとの間でガス交換を行うガス交換部を備える（特許文献１参照）。ガス交換部では、ハウジング内の血液が流れる血液流路に、多数本の中空糸膜を積層した中空糸膜束が、中空糸膜が血液の流れ方向に直角になるように配置される。血液流路に血液を流しながら、中空糸膜に酸素含有ガスを流す。血液が中空糸膜の間の隙間を通過するときに、中空糸膜を介して血液に対してガス交換、すなわち酸素加、脱二酸化炭素が行われる。このような中空糸膜型人工肺は、血液側境膜抵抗の有効破壊により、効率のよいガス交換と低い圧力損失を実現でき、基本性能では高効率であることが知られている。
【０００４】
上記の従来の中空糸膜型人工肺では、ガス交換部での血液流路の断面が血液の流れ方向において一定であるので、血液流速は血液流路断面において略均一となり、血液は、血液流路を実質的に層流として流れる。これは、ガス交換効率の向上と圧力損失の低下に有利である。その一方で、血液流れが層流であるために、ガス交換部を出た血液のガス分圧（特に二酸化炭素分圧）が血液流路断面内において不均一になりやすい。具体的には、血液の流れ方向に対して中空糸膜が垂直に配置されているので、中空糸膜の配向方向において血液のガス分圧が不均一になる。
【０００５】
一般的な人工肺では、ガス交換後の血液性状を確認するために血液を採取するためのサンプリングポートが、血液が人工肺から流出する血液流出ポートの近傍に設けられている。血液のガス分圧が不均一であると、サンプリングポートから採取した血液と、血液流出ポートから流出した血液とで、血液性状に差異が生じうる。
【０００６】
特許文献２には、血液流出ポート又はその近傍に、ガス交換後の血液を混合するための混合部を設けた人工肺が記載されている。混合部は、例えば、環状凸部や板状凸部で構成される。混合部が血液を撹拌混合するので、上記の血液性状の差異が低減される。
【先行技術文献】
【特許文献】
【０００７】
【特許文献１】特開２００４−１６０２１７号公報
【特許文献２】特開２００５−１９２７８０号公報
【発明の概要】
【発明が解決しようとする課題】
【０００８】
特許文献２の人工肺は、混合部が血液の流れを乱し撹拌するので、圧力損失の増大や、物理的刺激による血液損傷を招く。
【０００９】
本発明は、圧力損失が増大したり、血液損傷を生じさせたりすることなく、血液のガス分圧の不均一を改善することを可能にする人工肺を提供することを目的とする。
【課題を解決するための手段】
【００１０】
本発明の人工肺は、血液流入ポート及び血液流出ポートが設けられたハウジングと、前記ハウジング内に設けられた血液流路であって、血液が前記血液流入ポートから前記血液流路を通って前記血液流出ポートへ流れる、血液流路と、前記血液流路を流れる血液に対して酸素加、脱二酸化炭素を行うガス交換部と、前記ガス交換部を通過した血液を採取するためのサンプリングポートとを備える。前記ガス交換部は、第１交換部及び第２交換部を含む。前記第１交換部及び前記第２交換部のそれぞれは、前記血液流路を横切るように、前記血液流路内の血液の流れ方向に垂直な一方向に沿って配置された複数の中空糸膜を備え、前記中空糸膜の内腔内を酸素を含有するガスが流れるように構成されている。前記ガスが前記第１交換部を構成する前記中空糸膜を流れる方向と、前記ガスが前記第２交換部を構成する前記中空糸膜を流れる方向とが逆である。
【発明の効果】
【００１１】
本発明によれば、圧力損失が増大したり、血液に対する物理的刺激による血液損傷を生じさせたりすることなく、血液のガス分圧の不均一を改善することができる。
【図面の簡単な説明】
【００１２】
【図１】図１は、本発明の一実施形態にかかる人工肺の斜視図である。
【図２】図２は、本発明の一実施形態にかかる人工肺の、血液流出ポート側から見た正面図である。
【図３】図３は、図２の３−３線を含む上下方向面に沿った、本発明の一実施形態にかかる人工肺の矢視断面図である。
【発明を実施するための形態】
【００１３】
上記の本発明の人工肺において、前記第１交換部及び前記第２交換部は、血液の流れ方向に沿って配置されていてもよい。かかる態様によれば、第１及び第２交換部のうちの一方で生じた血液流路断面内でのガス分圧の不均一が、他方で相殺される。これは、血液のガス分圧の不均一を改善するのに有利である。
【００１４】
前記第１交換部を構成する前記中空糸膜と前記第２交換部を構成する前記中空糸膜とが直列に接続されていてもよい。かかる態様は、ガス交換部及び人工肺の構成を簡単化するのに有利である。
【００１５】
前記第１交換部を構成する前記中空糸膜の数と、前記第２交換部を構成する前記中空糸膜の数とが同じであってもよい。かかる態様は、血液のガス分圧の不均一を改善するのに有利である。
【００１６】
前記ガス交換部は、前記第１交換部と前記第２交換部とからなるガス交換ユニットを複数備えていてもよい。かかる態様は、血液のガス分圧の不均一を改善するのに有利である。
【００１７】
前記サンプリングポートは、前記血液流出ポートから、前記中空糸膜の配向方向に又は前記配向方向に対して垂直方向に離れた位置に設けられていてもよい。このようにサンプリングポートを血液流出ポートとは別に設けることは、血液流出ポートの構成の簡単化や、血液流出ポートの圧力損失の低下に有利である。
【００１８】
前記ガス交換部において、前記血液流路の断面が血液の流れ方向において一定であってもよい。これは、血液が血液流路を実質的に層流として流れるので、ガス交換効率の向上と圧力損失の低下に有利である。
【００１９】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する主要部材を簡略化して示したものである。従って、本発明は以下の各図に示されていない任意の部材を備え得る。また、本発明の範囲内において、以下の各図に示された各部材を変更または省略し得る。
【００２０】
図１は、本発明の一実施形態にかかる人工肺１の斜視図である。図２は人工肺１の正面図である。図３は、図２の３−３線を含む上下方向面に沿った人工肺１の矢視断面図である。以下の説明の便宜のため、図２及び図３の紙面の上下方法を人工肺１の「上下方向」と呼ぶ。「上」及び「下」は、図２及び図３に基づいて定義する。
【００２１】
人工肺１は、複数の部材を組み合わせて構成された略直方体形状のハウジング１０を備える。図３に示されているように、ハウジング１０内に、血液流路１１が、図３において左右方向に沿って形成されている。血液流路１１は、ポリウレタン樹脂またはエポキシ樹脂等からなるシール材を用いて形成されたシール部１２によって規定される。血液の流れ方向に垂直な面に沿った血液流路１１の断面（以下、単に「断面」という）は円形である。血液流路１１の両端に対応するハウジング１０の後ろ壁１０ｂ及び前壁１０ａには、血液流入ポート１５及び血液流出ポート１６がそれぞれ設けられている。血液流入ポート１５、血液流路１１、及び血液流出ポート１６は、実質的に同軸に、この順に配置されている。血液Ｂは、血液流入ポート１５を通ってハウジング１０内に流入し、血液流路１１を流れ、血液流出ポート１６を通ってハウジング１０外に流出する。
【００２２】
血液流出ポート１６には、サンプリングポート１７、予備ポート１８、検温用管１９が設けられている。サンプリングポート１７及び予備ポート１８は、血液流出ポート１６と連通し、これらを介して血液流出ポート１６を流れる血液を採取することができる。サンプリングポート１７を介して採取した血液を用いて、例えば血液ガス分析（ガス分圧の測定など）を行うことができる。予備ポート１８を介して採取した血液は、例えば心筋保護や脳分離体外循環のために使用することができる。なお、予備ポート１８は、使用しない場合には封止される。検温用管１９の先端は血液流出ポート１６内の流路に突出している。検温用管１９に、温度プローブ（図示せず）を挿入して、血液流出ポート１６を流れる血液の温度を測定することができる。なお、予備ポート１８及び検温用管１９は、省略することができる。
【００２３】
血液の流れ方向に沿って、ハウジング１０内に、熱交換部３０、ガス交換部４０、フィルタ部５０がこの順に配置されている。
【００２４】
熱交換部３０は、複数の伝熱管３１の束を備える。伝熱管３１は、ステンレス鋼等からなる。伝熱管３１は、血液流路１１を横切るように、血液流路１１内の血液の流れ方向に対して垂直な方向（図３の紙面に対して垂直な方向）に沿って血液流路１１上に配置され、その両端部分はシール部１２で保持されている。ハウジング１０の側壁の熱交換部３０に対応する領域に、熱媒体流入ポート３５及び熱媒体流出ポート３６が設けられている（図２参照）。熱媒体（冷水又は温水）は、熱媒体流入ポート３５を通って熱交換部３０に流入し、伝熱管３１内を通過し、熱媒体流出ポート３６を通って熱交換部３０から流出する。血液流路１１を流れる血液は、熱交換部３０の隣り合う伝熱管３１の間の隙間を通過する。このとき、伝熱管３１を介して血液と熱媒体との間で熱交換が行われる。
【００２５】
ガス交換部４０は、多数の中空糸膜４１を積層して形成された中空糸膜束４２を備える。中空糸膜４１としては、例えば、ポロプロピレンからなる多孔質中空糸膜を用いうる。中空糸膜４１は、血液流路１１を横切るように、血液流路１１内の血液の流れ方向に対して垂直な一方向（図３において上下方向）に沿って血液流路１１上に配置され、その両端部分はシール部１２で保持されている。
【００２６】
ハウジング１０の上壁とシール部１２との間に、第１室４６及び第２室４７が設けられている。第１室４６と第２室４７とは、隔壁４５によって隔てられている。ハウジング１０の上壁には、第１室４６に連通するガス流入ポート４３と、第２室４７に連通するガス流出ポート４４とが設けられている。ハウジング１０の下壁とシール部１２との間には、密閉された中間室４８が設けられている。ガス交換部４０は、第１室４６と中間室４８とを連通させる複数の中空糸膜４１で構成された第１交換部４０ａと、第２室４７と中間室４８とを連通させる複数の中空糸膜４１で構成された第２交換部４０ｂとを含む。第１交換部４０ａを構成する中空糸膜４１の配列方向と第２交換部４０ｂを構成する中空糸膜４１の配列方向とは同じ（または平行）である。第１交換部４０ａは、第２交換部４０ｂに対して、血液流路１１を流れる血液の流れ方向の下流側に配置されている。酸素含有ガスは、ガス流入ポート４３、第１室４６、第１交換部４０ａを構成する中空糸膜４１、中間室４８、第２交換部４０ｂを構成する中空糸膜４１、第２室４７、ガス流出ポート４４を順に流れる。酸素含有ガスは、第１交換部４０ａ及び第２交換部４０ｂを流れるとき、血液流路１１を横切る。血液流路１１を流れる血液は、ガス交換部４０において、第２交換部４０ｂを構成する中空糸膜４１の間の隙間を通過し、次いで、第１交換部４０ａを構成する中空糸膜４１の間の隙間を通過する。このとき、中空糸膜４１を介して血液と酸素含有ガスとの間でガス交換が行われる。矢印Ｇ１は、ガス流入ポート４３に流入する酸素含有ガスを示し、矢印Ｇ２は、ガス流出ポート４４から流出する上記ガス交換後の二酸化炭素含有ガス（排ガス）を示す。
【００２７】
フィルタ部５０は、濾材として機能するフィルタ５１を備える。フィルタ５１としては、限定されないが、一実施例ではポリエチレンテレフタレートからなり、目開きが４０μｍのメッシュ状のシート材を用いうる。フィルタ５１には、山折りと谷折りとを一定間隔で交互に繰り返すことにより形成された、規則的な複数のプリーツが形成されている。フィルタ５１の外周端部は、略円形のリング形状を有するフレーム５３に保持される。フレーム５３の外周端縁は、シール部１２に保持される。これにより、フィルタ５１は、血液流路１１内を流れる血液の流れ方向に垂直な面に沿って血液流路１１に配置される。
【００２８】
フィルタ５１に対向する、ハウジング１０の前壁１０ａの上部に排気ポート５７が設けられている。排気ポート５７内に、互いに独立した第１流路５８ａと第２流路５８ｂとが設けられている。第１流路５８ａは、フレーム５３を貫通し、フィルタ５１に対して上流側（ガス交換部５０側）の空間（第１空間５０ａ）と連通している。第２流路５８ｂは、フィルタ５１に対して下流側（血液流出ポート１６側）の空間（第２空間５０ｂ）と連通している。
【００２９】
血液Ｂは、血液流入ポート１５を通って人工肺１に流入し、血液流路１１を通過し、血液流出ポート１６を通って人工肺１から流出する。熱交換部３０は、血液を所望の温度に調整し、ガス交換部４０は血液に対して酸素加、脱二酸化炭素を行う。フィルタ部５０では、フィルタ５１が血液中の気泡や異物を捕捉する。捕捉された気泡は、第１流路５８ａ又は第２流路５８ｂを通って人工肺１の外に排気される。
【００３０】
血液流路１１の断面は、血液の流れ方向において一定である。従って、従来の人工肺と同様に、血液は血液流路１１を実質的に層流として流れる。これは、ガス交換効率の向上と圧力損失の低下に有利である。
【００３１】
ガス交換部４０では、ガス流入ポート４３から流入した酸素含有ガスは、第１交換部４０ａ及び第２交換部４０ｂを順に通り、ガス流出ポート４４から流出する。血液の流れ方向に沿って見たとき、第１交換部４０ａを構成する中空糸膜４１を流れる酸素含有ガスの流れ方向（第１方向）と、第２交換部４０ｂを構成する中空糸膜４１を流れる酸素含有ガスの流れ方向（第２方向）とは逆である。即ち、本実施形態では、酸素含有ガスは、ガス交換部４０内を略「Ｕ」字状に折り返して流れ、血液流路１１を逆向きに２回横切る。
【００３２】
従来の人工肺において、血液流路断面内での血液のガス分圧の不均一は、血液の流れ方向に直交するように配置された中空糸膜を、酸素含有ガスが一方向にのみ流れるために発生する。酸素含有ガスは、血液に対してガス交換しながら中空糸膜を通過するので、中空糸膜内の酸素及び二酸化炭素の各分圧は、ガスの流れ方向において徐々に変化する。このため、血液中の二酸化炭素分圧は、酸素含有ガスの流れ方向の上流側で相対的に低く、酸素含有ガスの流れ方向の下流側で相対的に高くなる。その結果、ガス交換部を通過した血液の血液流路断面での二酸化炭素分圧は、中空糸膜の配向方向において不均一になるのである。
【００３３】
これに対して、本実施形態では、酸素含有ガスが、第１交換部４０ａを第１方向に流れ、第２交換部４０ｂを第１方向とは逆の第２方向に流れる。第１交換部４０ａと第２交換部４０ｂとは、血液流路断面内で、互いに逆向きの二酸化炭素分圧分布を発生させる。このため、血液が第２交換部４０ｂを通過した時点で発生する血液流路断面内でのガス分圧の不均一は、その後、血液が第１交換部４０ａを通過することによって相殺される。その結果、本実施形態では、ガス交換部４０を通過した血液のガス分圧の不均一が改善されるのである。
【００３４】
ガス交換部４０を構成する中空糸膜４１の総数は、本実施形態の人工肺１と要求仕様が同じ従来の人工肺のガス交換部を構成する中空糸膜の総数と同じであってもよい。また、本実施形態では、特許文献２に記載されたような、血液を撹拌するための混合部が不要である。従って、本実施形態によれば、圧力損失が増大したり、血液に対する物理的刺激による血液損傷を生じさせたりすることなく、血液のガス分圧の不均一を改善することが可能である。また、ガス交換部４０及びこれを含む人工肺１の構成は簡単である。
【００３５】
第１交換部４０ａを構成する中空糸膜４１の数と、第２交換部４０ｂを構成する中空糸膜４１の数とは、同じであってもよい。これは、一般に、血液のガス分圧の不均一を改善するのに有利である。但し、各種条件によっては、第１交換部４０ａを構成する中空糸膜４１の数と、第２交換部４０ｂを構成する中空糸膜４１の数とが異なっている方が好ましい場合がありうる。
【００３６】
上記の実施形態は、例示に過ぎない。本発明は、上記の実施形態に限定されず、適宜変更することができる。
【００３７】
上記の実施形態では、第１交換部４０ａの中空糸膜４１と、第２交換部４０ｂの中空糸膜４１とは、中間室４８を介して連通されていた。但し、本発明はこれに限定されない。例えば、多数の中空糸膜４１からなる中空糸膜束を「Ｕ」字状に折り曲げて、各中空糸膜４１の一端を第１室４６に連通させ、他端を第２室４７に連通させてもよい。この場合、中間室４８は不要となる。
【００３８】
上記の実施形態では、酸素含有ガスが第１交換部４０ａ及び第２交換部４０ｂを順に流れるように第１交換部４０ａと第２交換部４０ｂとを直列に接続し、第２交換部４０ｂを第１交換部４０ａよりも血液流れ方向の上流側に配置したが、本発明はこれに限定されない。例えば、上記実施形態とは逆に、第１交換部４０ａを第２交換部４０ｂよりも血液流れ方向の上流側に配置してもよい。
【００３９】
上記の実施形態では、第１交換部４０ａと第２交換部４０ｂとが直列に接続された。これは、ガス交換部４０及び人工肺１の構成を簡単化するのに有利である。但し、本発明はこれに限定されず、第１交換部４０ａと第２交換部４０ｂとが並列に接続されてもよい。例えば、第１交換部４０ａ及び第２交換部４０ｂのそれぞれに対して、ガス流入ポート及びガス流出ポートを設けることができる。人工肺１の外でガス流路を分岐させて、酸素含有ガスを、第１交換部４０ａ及び第２交換部４０ｂのそれぞれのガス流入ポートに流入させる。また、ガス交換後の二酸化炭素含有ガスを、第１交換部４０ａ及び第２交換部４０ｂのそれぞれのガス流出ポートから流出させて回収する。この構成でも、第１交換部４０ａを流れる酸素含有ガスの流れ方向（第１方向）と、第２交換部４０ｂを流れる酸素含有ガスの流れ方向（第２方向）とを逆にすることができ、上記の実施形態と同様に、圧力損失が増大したり、血液損傷を生じさせたりすることなく、血液のガス分圧の不均一を改善することができる。第１交換部４０ａと第２交換部４０ｂとを並列に接続する構成は、第１交換部４０ａと第２交換部４０ｂとを直列に接続する構成に比べて、ガス流路の圧力損失が小さくなるので、酸素含有ガスの流速を抑えることができ、ガス交換性能に関して有利である。
【００４０】
ガス交換部４０が、酸素含有ガスの流れ方向が互いに逆である１つの第１交換部４０ａと１つの第２交換部４０ｂとからなるガス交換ユニットを複数有していてもよい。複数のガス交換ユニットは、血液流れ方向に沿って配置される。ガス交換部４０が複数のガス交換ユニットを備えることは、血液のガス分圧の不均一を改善するのに有利である。この場合、全ての第１交換部４０ａと全ての第２交換部４０ｂとは、第１交換部４０ａと第２交換部４０ｂとが交互に接続されるように、直列に接続されてもよい。あるいは、全ての第１交換部４０ａが並列に接続され、全ての第２交換部４０ｂが並列に接続されてもよい。並列に接続された第１交換部４０ａと並列に接続された第２交換部４０ｂとは、直列に接続されてもよく、もしくは、並列に接続されてもよい。ガス交換部４０に設けられる上記ガス交換ユニットの数は、１以上であればよく、上限に制限はないが、好ましくは４以下、さらに好ましくは２以下である。ガス交換ユニットの数を前記上限よりも多くしても、血液のガス分圧の不均一の改善効果が飽和してしまい、却って、ガス交換部４０及び人工肺１の構成が複雑化したり、ガス流路の圧力損失が大きくなるのでガス交換性能が低下したりする等の問題が生じる可能性がある。
【００４１】
サンプリングポート１７は、血液流出ポート１６とは別に設けられていてもよい。これは、血液流出ポート１６の構成の簡単化や、血液流出ポート１６の圧力損失の低下に有利である。例えば、サンプリングポート１７を、血液流出ポート１６が設けられたハウジング１０の前壁１０ａに、血液流路１１と連通するように設けることができる。第１配置例では、サンプリングポート１７を、前壁１０ａの、血液流出ポート１６から中空糸膜４１の配向方向に離れた位置に配置してもよい。上述したように、従来の人工肺では、血液流路断面内でのガス分圧の不均一は中空糸膜の配向方向において発生するので、従来の人工肺に当該第１配置例を適用すると、サンプリングポートから採取した血液と、血液流出ポートから流出した血液との間での血液性状の差異を増大させてしまう可能性が高い。本発明では、サンプリングポート１７を第１配置例のように配置しても、サンプリングポート１７から採取した血液と、血液流出ポート１６から流出した血液とで、ガス分圧に差異がほとんど生じない。第２配置例では、サンプリングポート１７を、前壁１０ａの、血液流出ポート１６から中空糸膜４１の配向方向に垂直な方向に離れた位置に配置してもよい。上述したように、血液流路断面内でのガス分圧の不均一は、中空糸膜４１の配向方向に垂直な方向において相対的に小さい。従って、サンプリングポート１７を第２配置例のように配置した場合には、サンプリングポート１７から採取した血液と、血液流出ポート１６から流出した血液との間でのガス分圧の差異がさらに低減される。
【００４２】
上記の実施形態では、ガス交換部４０を構成する中空糸膜４１の配向方向が上下方向に平行であったが、本発明はこれに限定されない。中空糸膜４１の配向方向は、血液の流れ方向に直交する限り任意であり、例えば、水平方向や、上下方向に対して傾斜した方向であってもよい。
【００４３】
上記の実施形態に示した人工肺１は、ハウジング１０内に、熱交換部３０、ガス交換部４０、フィルタ部５０が収納されていたが、本発明の人工肺はこれに限定されない。例えば、熱交換部３０が、ガス交換部４０及びフィルタ部５０を収納するハウジング外に配置された人工肺であってもよい。
【００４４】
フィルタ部５０の構成は、上記の実施形態に限定されない。例えば、フィルタ５１に複数のプリーツが形成されている必要はない。フィルタ５１の材料は、上記の実施形態以外の任意の材料を用いうる。排気ポート５７内の第１流路５８ａ及び第２流路５８ｂのうちの一方又は両方が省略されてもよい。
【産業上の利用可能性】
【００４５】
本発明は、体外血液循環のための人工心肺回路を構成する人工肺として広範囲に利用することができる。
【符号の説明】
【００４６】
１  人工肺
１０  ハウジング
１１  血液流路
１５  血液流入ポート
１６  血液流出ポート
１７  サンプリングポート
４０  ガス交換部
４０ａ  第１交換部
４０ｂ  第２交換部
４１  中空糸膜
４２  中空糸膜束
４３  ガス流入ポート
４４  ガス流出ポート
【図１】
2019072263.tif 000003
【図２】
2019072263.tif 000004
【図３】
2019072263.tif 000005